(57)【要約】【課題】本発明は球場等に立設する支柱の熱による湾曲をなく、安定した設置及頻繁なメンテナンス作業を必要としない球場等に立設する支柱、及び球場等の支柱の立設方法を提供することを課題とする。【解決手段】地面等に設置する支柱基礎体と、該支柱基礎体の上部に接続固定する支柱本体から構成された球場等に立設する支柱において、少なくとも前記支柱本体の内部には支柱の受ける熱を放熱する液体を直接充填、又は液体を吸収した吸収体を収納する収納部が形成されていることである。【選択図】図１
2014005715.tif 000002
【特許請求の範囲】
【請求項１】
地面等に設置する支柱基礎体と、該支柱基礎体の上部に接続固定する支柱本体とから構成された球場等に立設する支柱において、少なくとも前記支柱本体の内部には支柱の受ける熱を放熱する液体を直接充填する、又は液体を吸収した吸収体を収納する収納部が形成されていることを特徴とする球場等に立設する支柱。
【請求項２】
地面等に支柱基礎体を設置し、該支柱基礎体の上部に支柱本体を接続して固定することで支柱を立設する球場等の支柱の立設方法において、前記支柱基礎体の上部に支柱本体の下部を接続した固定した後、少なくとも該支柱本体の内部に形成された収納部に熱を放熱する液体を直接充填し、又は液体を吸収した吸収体を収納部に収納することで支柱を立設することを特徴とする球場等の支柱の立設方法。
【発明の詳細な説明】
【技術分野】本発明は、例えば、野球場のファール判定に用いる右翼ライン延長上、左翼ライン延長上に立設する支柱、又は球団旗を掲揚するのに用いる球場等の支柱、及び球場等の支柱の立設方法に関する。
【背景技術】
【０００１】従来、高さが４０メートル前後の大型の支柱は、支柱の強度、運搬上の問題等により工場で支柱を複数に分割して製造し、該分割した支柱を設置現場に運搬した後、分割した支柱を組み立てることで立設する。【０００２】上記支柱の組み立ては、先ず基礎となる支柱基礎体を地面に埋設して固定し、該支柱基礎体の上部に支柱本体をクレーンで吊り下げながら下部を位置合わせをし、接続ボルトで固定することで支柱を組み立てて立設する。【０００３】上記支柱は軽量化を図るために、内部は空間部を有した筒状に形成され、また、屋外に設置されているために、耐候性鋼材を用いて構成されている。
【発明が解決しようとする課題】
【０００４】しかしながら、上記従来の支柱は重量の軽減を重視するために、強度の面で不十分であるという問題点があった。
【０００５】また、支柱は耐候鋼材の素材で構成されているが、屋外に設置されているために、熱を帯びると金属の延性により、その部分が湾曲して支柱本体部分が傾斜する欠点があった。特に、径の小さい支柱本体の上部部分において湾曲が起こりやすく、支柱の上部部分が一方側に傾き、ファールの性格な判定等ができなくなる。
【０００６】そのため、上記支柱が湾曲しないように、頻繁なメンテナンスを必要としその作業にコストがかかる欠点があり、さらに、支柱の上部部分のメンテナンスにおいてはその作業に危険が伴う問題点があった。
【０００７】そこで、本発明は支柱の湾曲を抑え、メンテナンスが少ない球場等に立設する支柱、及び該支柱の立設方法を提供することを課題とする。
【課題を解決するための手段】
【０００８】上記課題を解決する本発明の球場等の支柱の解決手段は、請求項１に記載のように、地面等に設置する支柱基礎体と、該支柱基礎体の上部に接続固定する支柱本体とから構成された球場等に立設する支柱において、少なくとも前記支柱本体の内部には支柱の受ける熱を放熱する液体を直接充填、又は液体を吸収した吸収体を収納する収納部が形成されていることを特徴とする。
【０００９】また、上記課題を解決する本発明の球場等の支柱の立設方法の解決手段は、地面等に支柱基礎体を設置し、該支柱基礎体の上部に支柱本体を接続して固定することで支柱を立設する球場等の立設方法において、前記支柱基礎体の上部に支柱本体の下部を接続して固定した後、少なくとも該支柱本体の内部に形成された収納部に熱を放熱する液体を直接充填し、又は液体を吸収した吸収体を収納部に収納することで支柱を立設することを特徴とする。
【発明の作用及び効果】
【００１０】本発明の球場等に立設する支柱、及び球場等の支柱の立設方法の作用、効果を記載する。
【００１１】本発明の球場等に立設する支柱は、支柱基礎体と該支柱基礎体の上部に接続した支柱本体とから構成されている。
【００１２】しかも、少なくとも上記支柱本体の内部には、熱を放熱する液体を直接充填、又は液体を吸収した吸収体を収納するための収納部が形成されているために、支柱が受ける熱を該収納部に充填、又は収納した液体で順次放熱することができ、支柱の熱による湾曲を抑えることができる。
【００１３】特に湾曲し易い径の小さい上部部分において放熱効果が大きく、支柱の湾曲を抑えることができる。
【００１４】また、収納部への液体の直接的な充填する作業、又は液体を吸収した吸収体を収納する作業は、支柱本体の連結に応じて行うためにその作業が容易である。
【００１５】しかも、メンテナンス時に収納部より液体を取り換えることで、連続して支柱を使用することができる。
【００１６】次に、本発明の球場等の支柱の立設方法は、先ず、設置予定の地面等に孔を穿孔しコンクリートを流し込み基礎地盤を構成する。
【００１７】上記のように構成した基礎地盤に、ボルト等を介して支柱基礎体を固定することで設置する。
【００１８】次に、上記支柱基礎体の上部に支柱本体をクレーンで吊り上げてその下端側を支柱基礎体に連結した後、該支柱基礎体の上部連結部と支柱本体の下部連結部とをボルト等で固定する。
【００１９】そして、少なくとも支柱本体の内部に形成された収納部に熱を放熱する液体を直接充填、又は液体を吸収した吸収体を収納部に収納する。
【００２０】その後、前記支柱本体の上部に分割した次の支柱本体をクレーンで吊り上げて先に支柱基礎体に連結した支柱本体にボルト等で固定した後、収納部に液体を直接充填、又は液体の吸収した吸収体を収納部に収納することを繰り返すことで支柱を立設する。
【００２１】このようにして支柱の立設方法は、分割した支柱基礎体を設置した後、分割した支柱本体を順次接続するとともに、少なくとも該支柱本体の収納部に液体を直接充填、又は液体を吸収した吸収体を収納することで支柱を立設でき、その立設が容易である。
【００２２】また、上記液体で支柱表面の熱を内部の液体で放熱し、熱による支柱を構成する金属の延性による延びを解消することができ、支柱の湾曲を解消できる。
【００２３】また、液体の交換が容易であり、スムーズな交換作業が行える。
【００２４】また、支柱の内部に液体が充填、又は収納されているために、円筒状の支柱に比しその強度を増加することができる。
【００２５】しかも、その構成が簡易であり、立設する工程においても、スムーズに支柱を立設することが可能である。
【００２６】また、上記のように本発明の球場等に立設する支柱は、熱による湾曲を解消することができるので、従来の支柱のように頻繁なメンテナンスを必要とせず、また、湾曲を解消する作業を必要としない。
【発明を実施するための最良の実施の形態】
【００２７】以下、本発明の球場等に立設する支柱、及び球場等の支柱の立設方法について図面を用いて説明する。
【００２８】図１は、本発明の球場等に立設する支柱を示す概略一部断面側面図であり、図２は支柱基礎体と支柱本体との連結を示す概略一部断面側面図、図３は本発明の支柱の立設方法を示すフローチャートであり、図４は支柱の他実施例を示す概略一部断面側面図である。
【００２９】本発明の球場等に立設する支柱１は、円筒状に形成された支柱基礎体２と、該支柱基礎体２の上部に接続する複数の円筒状の支柱本体３とから構成されている。
【００３０】前記支柱基礎体２は、地面に埋設する埋設部４と、上部の接続部５から構成され、接続部５は筒状の内側に所望の厚みを有し、ボルト７の接続孔８を複数穿孔して形成されている。
【００３１】前記支柱本体３は、支柱１の高さにより複数に分割され、最上部は上部が円弧状の別体で形成されている。
【００３２】前記最先端の支柱本体３以外の支柱本体３は、上下端部に筒状の内部に所望の厚さを有する接続部１０が形成され、該接続部１０はボルト７の接続孔１１が複数個穿孔されている。
【００３３】また、支柱本体３内には、内側面を利用して熱を放熱するための液体を直接充填するための箱状の収納部６が形成されている。
【００３４】前記収納部６は、側面より液体を注入して内部を充填できる。
【００３５】前記収納部６に充填する液体は、側面に密接して充填するために支柱１側面の熱を放熱し、支柱１を構成する金属の延性に関わらず支柱１の湾曲を阻止しする効果を高める。
【００３６】上記、液体は、冷却用のオイル、冷却用の水等一般に知られている冷却用の液体を用いる。
【００３７】尚、上記実施例では、液体の収納部６を支柱本体３内のみに形成したが、本発明において、収納部６の形成はこれに限定するものでなく、支柱基礎体２の内側部分にも、液体の収納部１２を形成することで、支柱１の冷却効果をさらに上げることも可能である。
【００３８】また、上記実施例では、液体を収納部６に直接充填したが、本発明において、液体の収納はこれに限定されるものでなく、例えば、液体の吸収した吸収体１４を収納部６に収納、することで、液体の取り換え作業をスムーズに行うことも可能である。
【００３９】また、収納部６は分割した支柱本体３をそれぞれ接続することで一体的に連結され、まとめて液体を充填することも可能である。
【００４０】上記のように本発明の球場等に立設する支柱１は構成され、次に該支柱１の立設方法について説明する。
【００４１】先ず、本発明の球場等に立設する支柱１は、予め工場で分割（一番した下を支柱基礎体２、支柱本体は２分割（３ａ、３ｂ））して支柱１の設置位置に搬送する。
【００４２】次に、支柱１の設置位置の地盤に孔を穿孔し、支柱基礎体２の埋設部４を埋設する。
【００４３】そして、上記支柱基礎体４の上部の接続部５にクレーンで分割した支柱本体３（３ａ）を吊り下げ移動した後、支柱基礎体４の接続部５の接続孔８と支柱本体３（３ａ）の接続部１０（１０ａ）の接続孔１１（１１ａ）にボルト７を挿入して固定し、支柱基礎体２の上部に支柱本体３（３ａ）を連結する。
【００４４】その後、固定した支柱本体３（３ａ）の内側面に形成された収納部６に冷却用の液体を充填する。
【００４５】次に、上記支柱本体３（３ａ）の上部にクレーンで分割した支柱本体３（３ｂ）を吊り下げ移動した後、支柱本体３（３ａ）の上部の接続部１０（１０ａ）の接続孔１１（１１ａ）と支柱本体３（３ｂ）の下部の接続部１０（１０ｂ）の接続孔１１（１１ｂ）にボルト７を挿入して固定して、支柱本体３（３ａ）と支柱本体３（３ｂ）を連結する。
【００４６】その後、支柱本体３（３ａ、３ｂ）のそれぞれの内側面に形成された収納部６に液体を側面より充填する。
【００４７】このようにして、分割した支柱基礎体２、支柱本体３（３ａ、３ｂ）より所望の設置位置に支柱１を容易に立設することができる。
【００４８】上記支柱１は屋外に立設しているために、日中は太陽による熱で表面の温度が高くなり、径の小さい上部部分が湾曲し易いが、本発明の支柱１は内部の収納部６に液体が充填しているために、該収納部６で熱を放熱することができ、支柱１の湾曲を抑えることができる。
【００４９】また、上記支柱１は収納部６に充填した液体により、支柱１の重量を設置後に得ることができ、安定した支柱１の設置を可能とする。
【００５０】さらに、液体の充填は、季節に応じて調整でき、夏季のみ水を充填し、冬季は液体を抜き取ることも可能である。
【００５１】尚、上記実施例では、支柱本体３を３分割したが、本発明の支柱１の分割はこれに限定されるものでなく、支柱基礎体２と支柱本体３の２分割も可能である。
【図面の簡単な説明】
【００５２】
【図１】本発明の球場等に立設する支柱を示す概略一部断面側面図
【図２】支柱基礎体と支柱本体との接続を示す概略一部断面側面図
【図３】本発明の球場等の支柱の立設方法を示すフローチャート
【図４】本発明の球場等に立設する支柱の他実施例を示す概略一部断面側面図
【符号の説明】
【００５３】１−支柱、２−支柱基礎体、３−支柱本体、６−収納部
【図１】
2014005715.tif 000003
【図２】
2014005715.tif 000004
【図３】
2014005715.tif 000005
【図４】
2014005715.tif 000006